(57)【特許請求の範囲】
【請求項１】
正極用の電源供給側電線挿入孔及び正極用の電源送り側電線挿入孔、負極用の電源供給側電線挿入孔及び負極用の電源送り側電線挿入孔、アース供給用の電線挿入孔及びアース送り用の電線挿入孔が夫々開けられた壁部を有し、この壁部に、正極用及び負極用の一対の電源線解除レバー、及び一対のアース線解除レバーが夫々一体に形成されたボディ及びこのボディに連結されたカバーとからなるとともに、前記壁部の表面に、この表面の地色とは異なる色であって前記正極用の両電線挿入孔にわたる極性印刷表示、前記負極用の両電線挿入孔にわたる極性印刷表示、前記アース用の両電線挿入孔にわたる極性印刷表示を夫々設け、かつ、いずれか一つの極性印刷表示は、段付き形状をなしているとともにこの印刷表示の長手方向中間部に前記段付き形状の段からなるゲージエンドを有し、このエンドと前記ボディの一側面との間にわたるボディ表面をこの表面と面一のストリップゲージとし、このストリップゲージを前記一側面に対し直角状に連なった前記ボディの他側面と平行となるように設けた筐体と、
正極用の前記両電線挿入孔に個別に対向する弾性変形可能な一対の鎖錠片を有し、かつ、前記電源線解除レバーの端子押し部と対向して前記筐体に内蔵された正極用速結端子と、
負極用の前記両電線挿入孔に個別に対向する弾性変形可能な一対の鎖錠片を有し、かつ、前記電源線解除レバーの端子押し部と対向して前記筐体に内蔵された負極用速結端子と、
アース用の前記両電線挿入孔に個別に対向する弾性変形可能な一対の鎖錠片を有し、かつ、アース線解除レバーの端子押し部と対向して前記筐体に内蔵されたアース用速結端子と、
を具備したことを特徴とする電源端子台。
【請求項２】
前記壁部の一部を前記カバー側に凹ませるとともに、その底をなして正極用及び負極用の一対の前記電源線解除レバー及び一対の前記アース線解除レバーの夫々を前記壁部に一体に形成し、これら解除レバーの根元以外の周囲に沿って設けられた隙間によって前記極性印刷表示の一部が切欠かれるように凹まされていて、この凹まされた部位に前記解除レバーの端子押し部の一部を配設したことを特徴とする請求項１に記載の電源端子台。
【請求項３】
電源線引込み孔を有するシャーシと、
このシャーシに固定された前記請求項１又は２に記載の電源端子台と、
この電源端子台と電気的に接続されて前記シャーシに取付けられたランプソケットと、
このランプソケットに取付けられたランプと、
を具備したことを特徴とする照明器具。
【発明の詳細な説明】
【０００１】
【発明の属する技術分野】
本発明は、電源線と器具内配線との中継をなす電源端子台、及びこの端子台を備える蛍光灯照明器具等の照明器具に関する。
【０００２】
【従来の技術】
電源端子台は、合成樹脂製の筐体内に、電源の正極及び負極用の一対の速結端子を内蔵するとともに、アース用の速結端子を内蔵している。筐体のボディには各速結端子に個別に対応して電線挿入孔が開けられていて、これらの挿入孔に挿入された電線の芯線は、その挿入箇所に対応する各速結端子の電線受け部とこれに斜めに対向する弾性変形可能な鎖錠片とで挟持されることにより、対応する速結端子に接続されるようになっている。
【０００３】
そして、各電線挿入孔が開けられたボディの壁部表面にはストリップゲージが設けられている。このゲージは、挿入される電線の絶縁被覆を剥ぎ取って芯線を露出させた際、露出した芯線の長さが適正かどうかを知るための目安として用いられるものであって、前記表面の一部を浅く凹ませて形成され、ボディと同色である。
【０００４】
このように単に凹ませただけのストリップゲージは、それに芯線をあてがった場合に、ストリップゲージの端（ゲージエンド）の位置の視認性が悪いので、その見極めのために時間が掛かる。よって、電源端子台に付随する作業の一種である電線の芯線を適正長さに露出させる作業性を低下させている。
【０００５】
なお、前記のように視認性が良くないことにより、電気工事者により適当に絶縁被覆の剥ぎ取りがなされて、剥ぎ取り長さに大きなばらつきを生じた電線が電源端子台に接続されることが多々ある。この場合に、前記剥ぎ取りにより露出した芯線（ストリップ）が長すぎると、電源端子台の外部での異極間の絶縁不良やトラッキングを生じる恐れがあり、又、ストリップが短すぎると、その挿入長さが不足し、速結端子との接触不良を生じる恐れがある。したがって、こうした不具合が起こらないようにする配慮が求められている。
【０００６】
又、電源端子台にはそれに一旦接続された電線を必要に応じて引き外すための解除手段が設けられている。この解除手段の中でも、各電線挿入孔が開けられたボディの壁部に、ねじ回し等の工具で押し込むことにより弾性変形できる解除レバーを一体に形成したものが知られている。この種のものは部品点数が少なく構成が簡単である点などにおいて優れている。
【０００７】
しかし、ボディと解除レバーとが一体であることにより、これらは同色であり、夫々の色を変えて成形することは不可能である。そのため、一般的に、周囲の照明が不完全な環境で行われる解除レバーの押し込み作業では、解除レバーの位置がわかりずらく、その位置確認に手間取ることが多々あるので、電源端子台に付随する作業の一種である前記解除レバーの押し込み作業性の改善が望まれている。
【０００８】
【発明が解決しようとする課題】
本発明が解決しようとする課題は、ボディと同色のストリップゲージを用いて付随的に行われる作業を、周囲の照明が不完全な情況でも容易にできるとともに、ボディを成形するための型費を低減できる電源端子台及び照明器具を得ることにある。
【０００９】
【課題を解決するための手段】
前記課題を解決するために、請求項１に係る発明の電源端子台は、正極用の電源供給側電線挿入孔及び正極用の電源送り側電線挿入孔、負極用の電源供給側電線挿入孔及び負極用の電源送り側電線挿入孔、アース供給用の電線挿入孔及びアース送り用の電線挿入孔が夫々開けられた壁部を有し、この壁部に、正極用及び負極用の一対の電源線解除レバー、及び一対のアース線解除レバーが夫々一体に形成されたボディ及びこのボディに連結されたカバーとからなるとともに、前記壁部の表面に、この表面の地色とは異なる色であって前記正極用の両電線挿入孔にわたる極性印刷表示、前記負極用の両電線挿入孔にわたる極性印刷表示、前記アース用の両電線挿入孔にわたる極性印刷表示を夫々設け、かつ、いずれか一つの極性印刷表示は、段付き形状をなしているとともにこの印刷表示の長手方向中間部に前記段付き形状の段からなるゲージエンドを有し、このエンドと前記ボディの一側面との間にわたるボディ表面をこの表面と面一のストリップゲージとし、このストリップゲージを前記一側面に対し直角状に連なった前記ボディの他側面と平行となるように設けた筐体と、正極用の前記両電線挿入孔に個別に対向する弾性変形可能な一対の鎖錠片を有し、かつ、前記電源線解除レバーの端子押し部と対向して前記筐体に内蔵された正極用速結端子と、負極用の前記両電線挿入孔に個別に対向する弾性変形可能な一対の鎖錠片を有し、かつ、前記電源線解除レバーの端子押し部と対向して前記筐体に内蔵された負極用速結端子と、アース用の前記両電線挿入孔に個別に対向する弾性変形可能な一対の鎖錠片を有し、かつ、アース線解除レバーの端子押し部と対向して前記筐体に内蔵されたアース用速結端子と、を具備したことを特徴とする。
【００１０】
この発明及び以下の各発明において、筐体をなすボディ及びカバーは、いずれも電気絶縁材料、例えば合成樹脂、好ましくはナイロン等により形成される。又、この発明及び以下の各発明において、各速結端子は、いずれも導電性材料、例えば金属、好ましくは燐青銅板のようにばね性を有する銅合金等により形成されるとともに、差し込んで接続された電線の引き抜きを妨げない丸まった自由端部を有して、これと電線受け部との間で電線の芯線を挟んで主として電気的接続を担う他の鎖錠片が付加されていてもよく、又、電線受け部を有した部分と鎖錠片を有した部分とは、一体であっても、別に形成されたものであってもよく、別成形の場合には両者をリベット止めや溶接止め等により連結することが好ましい。
【００１１】
この請求項１の発明においては、各種の電線挿入孔が開けられたボディの壁部表面に、この表面の地色とは異なる極性印刷表示を対をなす電線挿入孔に亘って夫々個別に設けたから、極性印刷表示の表示面積が大きく、よって、周囲の照明が不完全な情況でも電線挿入孔の位置が分かり易い。その上、一つの極性印刷表示に形成したゲージエンドとボディの一側面との間のボディ表面部分をストリップゲージとしたから、前記色の違いによりストリップゲージ及びそのゲージエンドを明確に際立たせて視認できるようになり、このゲージを用いて電線の露出された芯線の長さの適否を容易に知ることができる。更に、ストリップゲージはボディの表面と面一であり凹んだ構成ではないから、ボディを成形する成形型の構成が簡単となり、型費を低減できるに伴いコストダウンが可能である。
【００１２】
又、請求項２に係る発明の電源端子台は、前記壁部の一部を前記カバー側に凹ませるとともに、その底をなして正極用及び負極用の一対の前記電源線解除レバー及び一対の前記アース線解除レバーの夫々を前記壁部に一体に形成し、これら解除レバーの根元以外の周囲に沿って設けられた隙間によって前記極性印刷表示の一部が切欠かれるように凹まされていて、この凹まされた部位に前記解除レバーの端子押し部の一部を配設したことを特徴とする。
【００１３】
この請求項２の発明においては、各電線挿入孔が設けられたボディの壁部とこの壁部に一体に形成された各解除レバーとが同色であるにも拘らず、前記壁部の一部にカバー側に凹んだ部分の底をなして各解除レバーを設けたので、これら解除レバーの位置を、周囲の照明が不完全な情況でも明確に分かり易くできる。
【００１４】
請求項３に係る発明の照明器具は、電源線引込み孔を有するシャーシと、このシャーシに固定された前記請求項１又は２に記載の電源端子台と、この電源端子台と電気的に接続されて前記シャーシに取付けられたランプソケットと、このランプソケットに取付けられたランプと、を具備したことを特徴とする。
【００１５】
この発明においては、ボディと同色のストリップゲージ又は解除レバーを用いて付随的に行われる電線の芯線の長さの適否判定作業又は接続された電線の解除作業を容易にできる電源端子台を備えるので、天井等への器具の取付け施工性に優れる高品質な照明器具を提供できる。
【００１６】
【発明の実施の形態】
以下、図１〜図８を参照して本発明の一実施形態を説明する。
【００１７】
図１中１１は天井側に例えば埋め込んで設置される蛍光灯照明器具を示し、この器具１１は、下面が開放されたシャーシ１２を備えている。このシャーシ１２の長手方向両端部に夫々一対のランプソケット１３が取付けられていて、シャーシの長手方向に対向するランプソケット１３にわたって直管形の蛍光ランプ１４が取付けられている。
【００１８】
シャーシ１２の天井壁１１ａの裏面には、両蛍光ランプ１４間に位置して電源端子台１５が取付けられているとともに、図示しないが例えば電子安定器からなる点灯装置等が取付けられている。電源端子台１５には天井壁１１ａに穿った電源線引込み孔１６を通って天井裏からシャーシ１２内に引込まれる図示しない電源線が接続される。更に、電源端子台１５は図示しない負荷線（器具内配線）を介して前記点灯装置に接続されるとともに、図示しない負荷線を介してシャーシ１２の長手方向一端側のランプソケット１３に接続される。又、前記点灯装置は図示しない更に他の負荷線を介してシャーシ１２の長手方向他端側のランプソケット１３に接続される。そして、これら電源端子台１５、点灯装置、及び各負荷線を覆う断面Ｖ形の中央反射板１７が、２本の蛍光ランプ１４間に位置して前記天井壁１１ａに取付けられている。
【００１９】
次に、図２〜図７を参照して電源端子台１５について説明する。この電源端子台１５は、図２〜図６に示されるナイロン樹脂製の筐体２１と、図７等に示されるようにばね性を有する一枚の燐青銅板を折り曲げて形成された電源線の正極及び負極用の一対の速結端子２２、２３と、図８等に示されるようにばね性を有する一枚の燐青銅板を折り曲げて形成されたアース用の速結端子２４とを備えている。速結端子２２、２３は同一構造である。
【００２０】
筐体２１は、ボディ２５と、これに連結されるカバー２６とからなる。これらは、図２、図４等に示すようにボディ２５の側壁外面に一体に突設した複数の爪２７を、カバー２６の側壁に対応して設けた爪受け孔２８に夫々引っ掛けることによって組立てられている。カバー２６は図示しない一つのねじ通孔及び一対の位置決め凸部３０を有している。このカバー２６は、その位置決め凸部３０を前記天井壁１１ａに開けた図示しない一対の孔に挿入して位置決めした状態で、図示しない金属製ねじを、天井壁１１ａに開けた図示しない端子台取付け孔及びこれに対向する前記ねじ通孔に通して締付けることにより、天井壁１１ａの裏面に前記ねじ１本で固定されている。前記ねじは速結端子２４に螺合されて、このねじを介してシャーシ１２へのアースが取れるようになっている。
【００２１】
ボディ２５のカバー２６と反対側の壁部、つまり、電源端子台１５がシャーシ１２に固定された状態で下を向く壁部３５は、段差３６によって電源線挿入面部３５ａとアース線挿入面部３５ｂとに区分けされている。アース線挿入面部３５ｂは下側から見て電源線挿入面部３５ａよりもシャーシ１２側に低くなっており、それにより、手探りで両挿入面部３５ａ、３５ｂを識別できるようにしてある。
【００２２】
電源線挿入面部３５ａには、正極用の電源供給側電線挿入孔（以下、第１電源線挿入孔という。）４１と、同じく正極用の電源送り側電線挿入孔（以下、第１送り電源線挿入孔という。）４２とが夫々開けられているとともに、第１電源線挿入孔４１に並んで負極用の電源供給側電線挿入孔（以下、第２電源線挿入孔という。）４３と、同じく第１送り電源線挿入孔４２に並んで負極用の電源送り側電線挿入孔（以下、第２送り電源線挿入孔という。）４４とが夫々開けられている。
【００２３】
更に、電源線挿入面部３５ａには、互いに隣接している第１、第２の電源線挿入孔４１、４３と、互いに隣接している第１、第２の送り電源線挿入孔４２、４４との間に位置して、一対の電源線解除レバー（以下解除レバーと略称する。）４５、４６が夫々一体に形成されている。
【００２４】
図２及び図４に示すように解除レバー４５、４６は、電源線挿入面部３５ａの一部をカバー２６側に凹ませるとともに、その底をなして壁部３５の表面から一段下げて形成されている。これらレバー４５、４６は、同一の構成であり、いずれもアーム部４７と端子押し部４８とを有して形成されているとともに、互いに逆向きとなって点対称の配置に設けられている。アーム部４７の一端からなる根元は電源線挿入面部３５ａに一体に接続され、アーム部４７の他端は端子押し部４８の長手方向中央部に一体に接続されており、それにより、解除レバー４５、４６はいずれも平面視ほぼＴ字形状をなしている。
【００２５】
両解除レバー４５、４６は、そのアーム部４７の根元を支点として弾性変形が可能であり、この変形を許すための隙間が、図３に示すように両解除レバー４５、４６の根元以外の周囲に沿って電源線挿入面部３５ａに設けられている。前記のように対称に設けられた両解除レバー４５、４６のアーム部４７は、その長さをより長く確保するために互いに並んで平行に、しかも、斜めに設けられている。
【００２６】
端子押し部４８は後で詳述する正負両極用の速結端子２２、２３に跨る（図４参照）長さを有している。この端子押し部４８とこれを支持するアーム部４７とが一体につながった部分には、凹部からなる押し込み工具受け部４９が設けられている。この受け部４９は、例えばプラスねじ回しの先端部が嵌入する円形状の第１凹部とこれを直径方向に横切ってマイナスねじ回しの先端部が嵌入する第２凹部とから形成されている。
【００２７】
図３等に示すように前記アース線挿入面部３５ｂには、アース供給用の電線挿入孔５１とアース送り用の電線挿入孔５２とが夫々開けられているとともに、これら挿入孔５１、５２間に位置して一対のアース線解除レバー５３、５４（以下、解除レバーと略称する。）が一体に形成されている。
【００２８】
図２及び図４に示すように解除レバー５３、５４は、アース線挿入面部３５ｂの一部をカバー２６側に凹ませるとともに、その底をなして壁部３５の表面から一段下げて形成されている。これら解除レバー５３、５４は、同一の構成であり、いずれもアーム部５５と端子押し部５６とを有して、互いに逆向きとなって線対称の配置に設けられている。
【００２９】
両解除レバー５３、５４は、そのアーム部５５の根元を支点として弾性変形が可能であり、この変形を許すための隙間が、図３に示すように両解除レバー５３、５４の根元以外の周囲に沿ってアース線挿入面部３５ｂに設けられている。端子押し部５６とこれを支持するアーム部５５とが一体につながった部分には、前記押し込み工具受け部４８と同様な構成の押し込み工具受け部５８が設けられている。
【００３０】
前記ボディ２５の幅が狭くなった部分の側壁６１は負荷線挿入面部として用いられている。この側壁６１には、図２に示されるように正極用の一対の負荷線挿入孔６２が開けられているとともに、負極用の一対の負荷線挿入孔６３が開けられている。これら挿入孔６３には水平方向から前記負荷線が挿入される。なお、図２中６４は負荷線挿入孔６２、６３の近傍に個別に設けられた負荷線リリース用のリリース孔である。
【００３１】
図４〜図６に示されるようにカバー２６の裏面（内面）には、前記速結端子２２又は２３を個別に支持するための凸部６５、速結端子２４を支持するための凸部６６、速結端子２４の後述する鎖錠片の過度の変形を防止するための凸部、その他種々の凸部が夫々一体に設けられている。
【００３２】
又、図２及び図３の夫々に平行斜線を付して示すようにボディ２５の壁部３５の表面には、この表面の地色（白色系）とは異なる色、好ましくは地色との明度差が最も大きい黒色の印刷により、第１〜第３の極性印刷表示７１〜７３及びそれらに付随する文字や記号等が設けられている。なお、図２及び図３では各極性印刷表示７１〜７３には説明の都合上平行斜線を付して示したが、実際はべた塗り印刷される。
【００３３】
第１極性印刷表示７１は、正極用の速結端子２２と後述のように対向する電線挿入孔４１、４２に亘って連続して印刷され、その両端部は電線挿入孔４１、４２の周囲略全周を囲んでおり、これらの間の部分の殆どは電線挿入孔４１、４２の小径部より広い幅を有していて、表示面積を広く確保している。同様に第２極性印刷表示７２は、負極用の速結端子２３と後述のように対向する電線挿入孔４３、４４に亘って連続して印刷され、その両端部は電線挿入孔４３、４４の周囲略全周を囲んでおり、これらの間の部分の殆どは電線挿入孔４３、４４の小径部より広い幅を有していて、表示面積を広く確保している。又、第３極性印刷表示７３は、アース用の速結端子２４と後述のように対向する電線挿入孔５１、５２に亘って連続して印刷され、その両端部は電線挿入孔５１、５２の周囲略全周を囲んでおり、これらの間の部分の殆どは電線挿入孔４３、４４の小径部と同等以上の幅を有していて、表示面積を広く確保している。
【００３４】
更に、第１極性印刷表示７１はその長手方向中間部にゲージエンド７１ａを有している。このゲージエンド７１ａは、例えば第１極性印刷表示７１の一側縁を切欠くように段付き形状に印刷することによって、その段で形成されている。そして、このゲージエンド７１ａとボディ２５の一側面２５ａとの間にわたるボディ表面はストリップゲージ７４として使用されるようになっている。このゲージ７４はボディ２５と同色であり、又、図２及び図３中Ｌでストリップゲージ７４の長さを示す。図２及び図３に示すようにストリップゲージ７４は、一側面２５ａに対し直角状に連なったボディ２５の他側面２５ｂと平行となるように設けられている。更に、正極用及び負極用の一対の電源線解除レバー４５，４６及び一対のアース線解除レバー５３，５４の根元以外の周囲に沿って設けられた前記隙間の一部によって、図２及び図３に示すように各極性印刷表示７１〜７３の電線挿入孔の近くの部分が切欠かれるように凹まされていて、この凹まされた部位２５ｃに解除レバー４５，４６，５３，５４の端子押し部４８，５６の一部が配設されている。
【００３５】
図４及び図７等に示すように電源線用の前記速結端子２２、２３は、基板部８１と、第１及び第２の電線受け部８２及び８３と、第１鎖錠板８４と、第２鎖錠板８５と、第３電線受け部８６と、一対の負荷線用鎖錠片８７とを有している。
【００３６】
第１及び第２の電線受け部８２及び８３は、基板部８１の長手方向の両辺から基板部８１の一面側に略直角に折り曲げて形成されており、その第２電線受け部８３の先端から第３電線受け部８６が基板部８１と反対側に折り曲げられている。第１鎖錠板８４は前記両辺とは異なる基板部８１の他の両辺のうちの一方の辺から前記一面側に折り曲げられ、第２鎖錠板８５は前記他の両辺のうちの他方の辺から前記一面側に折り曲げられている。
【００３７】
第１鎖錠板８４は、基板部８１に連なった基部８４ａと、この基部８４ａの両側から互いに逆方向に斜め折りされて、その傾斜の先端が第１電線受け部８２又は第２電線受け部８３に近接して対向する鎖錠片８４ｂ、８４ｃとから形成されている。同様に、第２鎖錠板８５も、基板部８１に連なった基部８５ａと、この基部８５ａの両側から互いに逆方向に斜め折りされて、その傾斜の先端が第１電線受け部８２又は第２電線受け部８３に近接して対向する鎖錠片８５ｂ、８５ｃとから形成されている。鎖錠片８４ｂ、８４ｃ及び鎖錠片８５ｂ、８５ｃはいずれも基部８４ａ又は８５ａを支点として弾性変形可能である。鎖錠片８４ｂ、８４ｃは図示しない電源線を主として機械的に抜け止めして第１又は第２の電線受け部８２、８３との間に電源線を挟持し、鎖錠片８５ｂ、８５ｃは前記電源線との電気的接続を図って第１又は第２の電線受け部８２、８３との間に電源線を挟持する。
【００３８】
第３電線受け部８６は、その先端部に第２電線受け部８３とほぼ平行であって前記基板部８１の他面側に向けて折り曲げられた第３鎖錠板８６ａを有している。この第３鎖錠板８６ａには前記一対の鎖錠片８７が斜めに切起こされている。
【００３９】
前記構成の一対の速結端子２２、２３は、筐体２１内に、この内部に設けられた各種の凸部によって位置を決められて互いに平行に収容されている。この収容状態においては、図５に示すように正極側の速結端子２２の鎖錠片８４ｂの先端部が第１電源線挿入孔４１に対向するとともに、鎖錠片８４ｃの先端部が第１送り電源線挿入孔４２に対向する。かつ、一対の鎖錠片８７の先端部が夫々負荷線用の一対の負荷線挿入孔６２に対向するとともに、その近傍のリリース孔６４に対向する。同様に、図示しないが負極側の速結端子２３の鎖錠片８５ｂの先端部が第２電源線挿入孔４３に対向するとともに、鎖錠片８５ｃの先端部が第２送り電源線挿入孔４４に対向する。かつ、一対の鎖錠片８７の先端部が夫々負荷線用の一対の負荷線挿入孔６３に対向するとともに、その近傍のリリース孔６４に対向する。又、両速結端子２２、２３の鎖錠片８４ｂ、８５ｂの先端と基部８４ａとの間の中間部分には、図５で代表して示すように電源線用の一方の解除レバー４５の端子押し部４８が夫々当接し、同様に両速結端子２２、２３の鎖錠片８４ｃ、８５ｃの先端と基部８４ａとの間の中間部分には、図示しないが電源線用の他方の解除レバー４６の端子押し部４８が夫々当接する。
【００４０】
図６及び図８に示すようにアース線用の前記速結端子２４は、基板部９１と、第１及び第２の電線受け部９２及び９３と、一つの鎖錠板９４と、ねじ受け舌片９５とを有している。第１及び第２の電線受け部９２及び９３は、基板部９１の長手方向の両辺から基板部９１の一面側に略直角に折り曲げて形成されている。鎖錠板９４は前記両辺とは異なる基板部９１の他の両辺のうちの一方の辺から前記一面側に折り曲げられていて、ねじ受け舌片９５は基板部９１の他の両辺のうちの他方の辺から前記一面側とは反対側に折り曲げられている。このねじ受け舌片９５には前記図示しないねじが螺合されるねじ孔９５ａが開けられている。
【００４１】
鎖錠板９４は、基板部９１に連なった基部９４ａと、この基部９４ａの両側から互いに逆方向に斜め折りされて、その傾斜の先端が第１電線受け部９２又は第２電線受け部９３に近接して対向する鎖錠片９４ｂ、９４ｃとから形成されている。鎖錠片９４ｂ、９４ｃは図示しないアース線の機械的に抜け止めと電気的接続を担って第１又は第２の電線受け部９２、９３との間にアース線を挟持する。
【００４２】
前記構成の速結端子２４は、そのねじ受け舌片９５をボディ２５の開口側に位置させた姿勢で筐体２１内に、この内部に設けられた各種の凸部によって位置を決められて収容されている。この収容状態においては、図６に示すように鎖錠片９４ｂの先端部が電線挿入孔５１に対向するとともに、鎖錠片９４ｃの先端部が電線挿入孔５２に対向する。又、鎖錠片９４ｂ、９４ｃの先端と基部９４ａとの間の中間部分には、アース用の解除レバー５３、５４の端子押し部５６が夫々当接する。
【００４３】
前記構成の電源端子台１５の第１、第２の電源線挿入孔４１、４３の夫々には天井裏から引込まれたＦケーブル等の電源線の正極側又は負極側の芯線が挿入され、これらの芯線は対応する速結端子２２、２３に個別に接続される。又、送り用の電源線が必要な場合には、この電源線の正極側又は負極側の芯線が第１、第２の送り電源線挿入孔４２、４４に挿入され、これらの芯線は対応する速結端子２２、２３に個別に接続される。
【００４４】
これらの場合、一方の芯線は、速結端子２２の第１鎖錠板８４の鎖錠片８４ｂを弾性変形させながらこれと第１電線受け部８２との間を通過した後、更に第２鎖錠板８５の鎖錠片８５ｂを弾性変形させながらこれと第１電線受け部８２との間を通過して、これら鎖錠片８４ｂ、８５ｂと第１電線受け部８２との間に挟着される。同様に、他方の芯線も、速結端子２３の第１鎖錠板８４の鎖錠片８４ｃを弾性変形させながらこれと第２電線受け部８３との間を通過した後、更に第２鎖錠板８５の鎖錠片８５ｃを弾性変形させながらこれと第２電線受け部８２との間を通過して、これら鎖錠片８４ｃ、８５ｃと第１電線受け部８２との間に挟着される。
【００４５】
又、電源端子台１５の電線挿入孔５１には供給用のアース線の芯線が挿入されるとともに、アースの送りが必要な場合には、他の電線挿入孔５２に送り用アース線の芯線が挿入されて、これらは速結端子２４に接続される。この場合、供給用のアース線の芯線は、速結端子２４の鎖錠片９４ｂを弾性変形させながらこれと第１電線受け部９２との間を通過して、これらの間に挟着され、同様に送り用アース線の芯線は、速結端子２４の鎖錠片９４ｃを弾性変形させながらこれと第２電線受け部９３との間を通過して、これらの間に挟着される。
【００４６】
ところで、以上の構成の電源端子台１５は、各種の電線挿入孔４１〜４４、５１、５２が開けられたボディ２５の壁部３５の表面に、この表面の地色とは異なる極性印刷表示７１〜７３を対をなす同極の電線挿入孔に亘って夫々個別に設けたから、極性印刷表示７１〜７３の表示面積を大きく確保できる。それにより、周囲の照明が不完全な情況でも、電線を差し込もうとする電線挿入孔４１〜４４、５１、５２の位置を視認し易いから、電線の接続作業性を向上できるとともに、誤って電線が挿入される恐れも少なくできる。
【００４７】
これら各種電線の接続においては、各電線の絶縁被覆が皮剥きにより取除かれ、それにより露出された芯線（ストリップ）が各電線挿入孔４１〜４４、５１、５２に挿入されるが、その挿入に先立って、電源端子台１５の表面のストリップゲージ７４により芯線の適正長さを確認できる。この確認は、皮剥きされた電線の絶縁被覆の端をボディ２５の一側面２５ａに当てながらストリップゲージ７４に芯線をあてがうことにより、その先端がゲージエンド７１ａに丁度達している（この状態が適正なストリップ長さである。）かどうかを視認して行われる。
【００４８】
この場合、ボディ２５の地色と第１極性印刷表示７１との色の違いにより、ストリップゲージ７４及び第１極性印刷表示７１のゲージエンド７１ａが明確に際立っているので、その視認が照明が不十分な作業環境においても容易にできる。そのため、前記ゲージ７４を用いての電線の絶縁被覆の剥ぎ取り長さ、言い換えれば、芯線（ストリップ）の長さが適正かどうかを、その確認に手間取ることを少なくして容易に知ることができる。
【００４９】
そのため、前記剥ぎ取りにより露出した芯線（ストリップ）が長すぎることに起因する電源端子台１５の外部での異極間の絶縁不良やトラッキングの恐れや、ストリップが短すぎることに起因する速結端子２２〜２４との接触不良の恐れを少なくできる。又、ストリップゲージ７４はボディ２５の表面と面一であり凹んだ構成ではないから、ボディ２５を成形する成形型の構成が簡単となり、型費を低減できるに伴いコストダウンが可能である。
【００５０】
又、以上のように電源端子台１５に速結接続された電線を必要により引き外すには、その対象が供給用の電源線である場合には、解除レバー４５をねじ回し等の工具で押し込みながら、この電源線を引き抜けばよく、同様に送り用電源線である場合には、解除レバー４６をねじ回し等の工具で押し込みながら、この電源線を引き抜けばよい。又、外す線が供給用のアース線である場合には、解除レバー５３をねじ回し等の工具で押し込みながら、このアース線を引き抜けばよく、同様に送り用アース線である場合には、解除レバー５４をねじ回し等の工具で押し込みながら、このアース線を引き抜けばよい
このように電源端子台１５に接続された電線の接続を解除するには、供給側の電源線についてはねじ回し等リリース工具の先が尖った先端部を解除レバー４５の端子押し部４８に当てて押し込みながら前記供給側の電源線を引張ればよく、同様に送り側の電源線についても前記工具の先端部を解除レバー４６の端子押し部４８に当てて押し込みながら前記送り側の電源線を引張ればよい。又、供給側のアース線については前記工具の先端部を解除レバー５３の端子押し部５６に当てて押し込みながら前記供給側のアース線を引張ればよく、同様に送り側のアース線についても前記工具の先端部を解除レバー５４の端子押し部５６に当てて押し込みながら前記送り側のアース線を引張ればよい。
【００５１】
この場合、各電線挿入孔４１〜４４、５１、５２が設けられたボディ２５の壁部３５とこの壁部３５に一体に形成された各解除レバー４５、４６、５３、５４とが同色であるにも拘らず、各解除レバー４５、４６、５３、５４は、壁部３５の一部にカバー２６側に凹んだ部分の底をなして設けられているので、各解除レバー４５、４６、５３、５４に対応する壁部３５の凹みによって、これら解除レバー４５、４６、５３、５４の位置を、周囲の照明が不完全な情況でも明確に分かり易くできる。よって、各解除レバー４５、４６、５３、５４を押し込んで行われる電線の解除の作業性を向上できる
前記押し込み操作で電源用の解除レバー４５がそのアーム部４７の根元を支点に弾性変形しながら押し込まれることにより、端子押し部４８が、電源線用の速結端子２２、２３の斜めの鎖錠片８４ｂを個別に押してカバー２６側に弾性変形させながら、この鎖錠片８４ｂと第１電線受け部８２との間を開くので、供給側電源線を引抜くことができる。同様に、前記押し込み操作で電源用の他方の解除レバー４６がそのアーム部４７の根元を支点に弾性変形しながら押し込まれることにより、端子押し部４８が、電源線用の速結端子２２、２３の斜めの鎖錠片８４ｃを個別に押して第２鎖錠板８５側に弾性変形させながら、この鎖錠片８４ｃと第２電線受け部８３との間を開くので、送り側電源線を引抜くことができる。
【００５２】
又、前記押し込み操作でアース用の解除レバー５３がそのアーム部５５の根元を支点に弾性変形しながら押し込まれることにより、端子押し部５６が、アース線用の速結端子２４の斜めの鎖錠片９４ｂを押してカバー２６側に弾性変形させながら、この鎖錠片９４ｂと第１電線受け部９２との間を開くので、供給側アース線を引抜くことができる。同様に、前記押し込み操作でアース用の解除レバー５４がそのアーム部５５の根元を支点に弾性変形しながら押し込まれることにより、端子押し部５６が、アース線用の速結端子２４の斜めの鎖錠片８５ｃを押してカバー２６側に弾性変形させながら、この鎖錠片９４ｃと第２電線受け部９３との間を開くので、送り側アース線を引抜くことができる。
【００５３】
これらの場合に、端子押し部４８、５６には工具先端が嵌入する凹部からなる押し込み工具受け４９、５８が設けられているので、前記工具を当てる位置が容易に定まるとともに、その位置から工具の先端が滑り動くことが防止されるので、容易に端子押し部４８又は５６を押し込むことができ、作業性がよい。
【００５４】
【発明の効果】
本発明は、以上説明したような形態で実施され、以下に記載されるような効果を奏する。
【００５５】
請求項１に記載の発明によれば、ボディとストリップゲージとが同色であるにも拘らず、極性印刷表示の表示面積が大きいから、周囲の照明が不完全な情況でも電線挿入孔の位置が分かり易いとともに、ストリップゲージをなすボディ表面部分と極性印刷表示を利用して設けたゲージエンドとをそれらの色の違いにより明確に際立たせることができるので、ストリップゲージを用いて行われる電線の露出された芯線長さの適否確認の作業性を向上でき、かつ、ストリップゲージはボディの表面と面一であり凹んだ構成ではないから、ボディを成形する成形型の構成が簡単となり、型費を低減できるに伴いコストダウンが可能である電源端子台を提供できる。
【００５６】
請求項２の発明によれば、電線挿入孔が開けられたボディの壁部とこれに一体に形成された各解除レバーとが同色であるにも拘らず、各解除レバーを前記壁部の表面からカバー側に凹んだ部分の底をなして設けたので、周囲の照明が不完全な情況でも各解除レバーの位置が明確に分かり易く、よって、各解除レバーを用いて行われる電線の解除の作業性を向上できる電源端子台を提供できる。
【００５７】
請求項３の発明によれば、ボディと同色のストリップゲージ又は解除レバーを用いて付随的に行われる電線の芯線長さの適否確認作業又は接続された電線の解除作業を容易にできる電源端子台を備えるので、天井等への器具の取付け施工性に優れる照明器具を提供できる。
【図面の簡単な説明】
【図１】（Ａ）は本発明の一実施形態に係る電源端子台を備えた蛍光灯照明器具を一部切欠いて示す斜視図。
（Ｂ）は図１（Ａ）の照明器具の断面図。
【図２】本発明の一実施形態に係る電源端子台を示す斜視図。
【図３】図２の電源端子台を示す正面図。
【図４】図３中Ｅ−Ｅ線に沿って示す電源端子台の断面図。
【図５】図３中Ａ−Ａ線に沿って示す電源端子台の断面図。
【図６】図３中Ｃ−Ｃ線に沿って示す電源端子台の断面図。
【図７】図２の電源端子台が備える電源線用の速結端子を示す斜視図。
【図８】図２の電源端子台が備えるアース線用の速結端子を示す斜視図。
【符号の説明】
１１…照明器具
１２…シャーシ
１３…ランプソケット
１４…蛍光ランプ
１５…電源端子台
１６…電源線引込み孔
２１…筐体
２２…速結端子（電源線正極用）
２３…速結端子（電源線負極用）
２４…速結端子（アース用）
２５…ボディ
２６…カバー
２５ａ…ボディの一側面
２５ｂ…ボディの他側面
２５ｃ…凹まされた部位
３５…ボディの壁部
４１…電源供給側電線挿入孔（第１電源線挿入孔）
４２…電源送り側電線挿入孔（第１送り電源線挿入孔）
４３…電源供給側電線挿入孔（第２電源線挿入孔）
４４…電源送り側電線挿入孔（第２送り電源線挿入孔）
４５、４６…電源線解除レバー
４８…電源線解除レバーの端子押し部
５１…アース供給用電線挿入孔
５２…アース送り用電線挿入孔
５３、５４…アース線解除レバー
５６…アース線解除レバーの端子押し部
７１…第１極性印刷表示
７１ａ…ゲージエンド
７２…第２極性印刷表示
７３…第２極性印刷表示
７４…ストリップゲージ
８４ｂ、８５ｂ…鎖錠片
８４ｃ、８５ｃ…鎖錠片
９４ｂ、９４ｃ…鎖錠片
【図１】
0004032601.tif 000002
【図２】
0004032601.tif 000003
【図３】
0004032601.tif 000004
【図４】
0004032601.tif 000005
【図５】
0004032601.tif 000006
【図６】
0004032601.tif 000007
【図７】
0004032601.tif 000008
【図８】
0004032601.tif 000009